(57)【要約】  【課題】  横棒の突出しをなくすことで、設置するうえでの制約にならないようにし、また、景観に溶け込みやすいのぼり竿を提供する。  【解決手段】  床面に対して垂直方向に沿って延びる支柱部と、床面に対して平行方向に沿って延びる横棒と、前記支柱部の上端側に前記横棒を連結する連結部と、を備えたのぼり竿であって、前記横棒は、その端部から所定領域が前記連結部に収容される収容部とされ、該収容部に、上方視で当該横棒の延びる方向と交差する方向へそれぞれ突出する一組の突出片が形成されており、前記連結部は、前記支柱部の上端に配置され、上方から挿入された前記横棒の収容部と嵌合する形状の嵌合溝が形成されたベース部材と、前記嵌合溝に前記横棒の収容部を嵌合させた前記ベース部材に上方から被せることで前記収容部を前記ベース部材との間に挟んで固定するキャップ部材と、からなる。【選択図】図１
2018081231.tif 000002
【特許請求の範囲】
【請求項１】
床面に対して垂直方向に沿って延びる支柱部と、床面に対して平行方向に沿って延びる横棒と、前記支柱部の上端側に前記横棒を連結する連結部と、を備えたのぼり竿であって、
前記横棒は、その端部から所定領域が前記連結部に収容される収容部とされ、該収容部に、上方視で当該横棒の延びる方向と交差する方向へそれぞれ突出する一組の突出片が形成されており、
前記連結部は、前記支柱部の上端に配置され、上方から挿入された前記横棒の収容部と嵌合する形状の嵌合溝が形成されたベース部材と、前記嵌合溝に前記横棒の収容部を嵌合させた前記ベース部材に上方から被せることで前記収容部を前記ベース部材との間に挟んで固定するキャップ部材と、からなる
ことを特徴とするのぼり竿。
【請求項２】
前記キャップ部材は、少なくとも下方が開放された筒状に形成され、前記嵌合溝に前記横棒の収容部を嵌合させた前記ベース部材へと上方から被せた際に、筒状の縁部分が、前記横棒における前記収容部の上面に接触することにより、前記収容部を前記ベース部材との間に挟んで固定するように構成されており、
前記横棒の収容部には、その上面において、当該横棒の延びる方向に沿った位置であり、前記キャップ部材における筒状の縁部分に対応する位置に、該縁部分と嵌合する上側凹部が形成されている
ことを特徴とする請求項１に記載ののぼり竿。
【請求項３】
前記横棒の収容部には、その底面において、当該横棒の延びる方向に沿った１カ所以上に底側凹部が形成されており、
前記連結部の前記ベース部材には、前記嵌合溝に前記横棒の収容部を嵌合させた際に該収容部の底側凹部と嵌合する外側凸部が形成されている
ことを特徴とする請求項１または請求項２に記載ののぼり竿。
【請求項４】
床面に対して垂直方向に沿って延びる支柱部と、床面に対して平行方向に沿って延びる横棒と、を備えたのぼり竿において、前記支柱部の上端側に前記横棒を連結する連結機構であって、
前記横棒の端部に前記連結部に収容される領域として設けられ、上方視で当該横棒の延びる方向と交差する方向へそれぞれ一組の突出片が突出してなる収容部と、
前記支柱部の上端に配置され、上方から挿入された前記横棒の収容領域と嵌合する形状の嵌合溝が形成されたベース部材と、
前記嵌合溝に前記横棒の収容部を嵌合させた前記ベース部材へと上方から被せることで前記収容部を前記ベース部材との間に挟んで固定するキャップ部材と、からなる
ことを特徴とする連結機構。
【発明の詳細な説明】
【技術分野】
【０００１】
本発明は、床面に対して垂直方向に沿って延びる支柱部と、床面に対して平行方向に沿って延びる横棒と、を備えたのぼり竿に関する。
【背景技術】
【０００２】
のぼり竿では、床面に対して垂直方向に沿って延びる支柱部と、床面に対して平行方向に沿って延びる横棒と、を連結した構造となっており、その連結に際しては、同じ太さの横棒を支柱部側に形成された穴または溝に通し、これを押さえつけるようにして固定することが一般的である（特許文献１参照）。
【先行技術文献】
【特許文献】
【０００３】
【特許文献１】実用新案登録第３１４３９４５号公報
【発明の概要】
【発明が解決しようとする課題】
【０００４】
ただ、上述したのぼり竿では、横棒を穴または溝に通して押さえつけるという構造上、横棒にはのぼりを取り付ける範囲を超える充分な長さが必要であり、この分が支柱部を通して反対側に突出してしまうため、これがのぼり竿を設置するうえでの制約になってしまうだけでなく、その設置場所によっては景観を損なう場合があるなど問題があった。
【０００５】
本発明は、このような課題を解決するためになされたものでありその目的は、横棒の突出しをなくすことで、設置するうえでの制約にならないようにし、また、景観に溶け込みやすいのぼり竿を提供することである。
【課題を解決するための手段】
【０００６】
上記課題を解決するため第１の構成（請求項１）は、床面に対して垂直方向に沿って延びる支柱部と、床面に対して平行方向に沿って延びる横棒と、前記支柱部の上端側に前記横棒を連結する連結部とを備えたのぼり竿であって、前記横棒は、その端部から所定領域が前記連結部に収容される収容部とされ、該収容部に、上方視で当該横棒の延びる方向と交差する方向へそれぞれ突出する一組の突出片が形成されており、前記連結部は、前記支柱部の上端に配置され、上方から挿入された前記横棒の収容部と嵌合する形状の嵌合溝が形成されたベース部材と、前記嵌合溝に前記横棒の収容部を嵌合させた前記ベース部材へと上方から被せることで前記収容部を前記ベース部材との間に挟んで固定するキャップ部材と、からなる。
【０００７】
この構成であれば、連結部のベース部材およびキャップ部材で、横棒を収容部の突出片とともに上下左右から挟んだ状態で固定することができるため、横棒にのぼりを取り付ける範囲を超える長さは必要なく、これにより、横棒の突出しをなくすことができる。こうして、横棒の突出しが設置するうえでの制約となることもなく、景観に溶け込みやすくすることができる。
【０００８】
この構成においては、さらに第２の構成（請求項２）のようにしてもよい。
第２の構成において、前記キャップ部材は、少なくとも下方が開放された筒状に形成され、前記嵌合溝に前記横棒の収容部を嵌合させた前記ベース部材へと上方から被せた際に、筒状の縁部分が、前記横棒における前記収容部の上面に接触することにより、前記収容部を前記ベース部材との間に挟んで固定するように構成されており、前記横棒の収容部には、その上面において、当該横棒の延びる方向に沿った位置であり、前記キャップ部材における筒状の縁部分に対応する位置に、該縁部分と嵌合する上側凹部が形成されている。
【０００９】
この構成であれば、キャップ部材における筒状の縁部分が、横棒における収容部の上面に接触し、ここに形成された上側凹部と嵌合することにより、連結部による横棒の連結をより強固なものとすることができる。
【００１０】
また、上記各構成においては、さらに第３の構成（請求項３）のようにしてもよい。
第３の構成において、前記横棒の収容部には、その底面において、当該横棒の延びる方向に沿った１カ所以上に底側凹部が形成されており、前記連結部の前記ベース部材には、前記嵌合溝に前記横棒の収容部を嵌合させた際に該収容部の底側凹部と嵌合する外側凸部が形成されている。
【００１１】
この構成であれば、ベース部材における外側凸部が、横棒における収容部の底面に形成された底側凹部と嵌合することにより、連結部による横棒の連結をより強固なものとすることができる。
【００１２】
また、上記課題を解決するための第４の構成（請求項４）としては、床面に対して垂直方向に沿って延びる支柱部と、床面に対して平行方向に沿って延びる横棒と、を備えたのぼり竿において、前記支柱部の上端側に前記横棒を連結する連結機構であって、前記横棒の端部に前記連結部に収容される領域として設けられ、上方視で当該横棒の延びる方向と交差する方向へそれぞれ一組の突出片が突出してなる収容部と、前記支柱部の上端に配置され、上方から挿入された前記横棒の収容領域と嵌合する形状の嵌合溝が形成されたベース部材と、前記嵌合溝に前記横棒の収容部を嵌合させた前記ベース部材へと上方から被せることで前記収容部を前記ベース部材との間に挟んで固定するキャップ部材と、からなる。
【００１３】
この構成であれば、上述したいずれかののぼり竿を構成することができる。
【図面の簡単な説明】
【００１４】
【図１】のぼり竿を示す斜視図
【図２】のぼり竿を示す六面図（右側面図は省略）
【図３】横棒を示す三面図
【図４】支柱部および連結部のベース部材を示す六面図（背面図・右側面図は省略）
【図５】連結部のキャップ部材を示す図
【発明を実施するための形態】
【００１５】
以下に本発明の実施形態を図面と共に説明する。
（１）全体構成
のぼり竿１は、図１、図２に示すように、床面に対して垂直方向に沿って延びる支柱部１０と、床面に対して平行方向に沿って延びる横棒２０と、支柱部１０の上端側に横棒２０を連結する連結部３０とを備えている。
【００１６】
なお、本実施形態において支柱部１０は、別ののぼり竿における支柱に接続して使用すべく、筒状に形成された本体部分の底部周辺に接続用の突起１１が形成されている。
横棒２０は、図３に示すように、その端部から所定領域が連結部３０に収容される収容部２１とされ、この収容部２１に、上方から見て横棒２０の延びる方向と交差する方向（図３の平面図における上下方向）へそれぞれ突出する一組の突出片２３が形成されている。この突出片２３は、その幅（図３の平面図における左右方向の長さ）が先端へ向かうほど狭くなる形状となっている。
【００１７】
本実施形態において、収容部２１は、横棒２０本体の端部側を覆う矩形の部材であり、上下左右に形成された平面のうち、左右の平面それぞれから突出片２３が突出している。また、この収容部２１は、両端側の領域が、それぞれ一部分が連結部３０には収まらずに露出する大きさとなるように構成されている。
【００１８】
連結部３０は、支柱部１０の上端に配置されたベース部材３１と、上方からベース部材３１に被せて固定するキャップ部材３３と、からなる。これらのうち、ベース部材３１は、図４に示すように、上方から挿入された横棒２０の収容部２１と嵌合する形状の嵌合溝３５が形成されており、キャップ部材３３は、嵌合溝３５に横棒２０の収容部２１を嵌合させたベース部材３１へと上方から被せることで収容部２１をベース部材３１との間に挟んで固定する。
【００１９】
本実施形態におけるベース部材３１は、その上端側がキャップ部材３３の内周に形成されたネジ溝と嵌合するネジ部となっており、このネジ部に対して、上方から横棒２０の収容部２１の形状にあわせた溝が嵌合溝３５として形成されている。
【００２０】
なお、本実施形態では、支柱部１０の上端に連結部３０のベース部材３１が一体に形成されているが、これらは別体の部材を取り付けたものとしてもよい。
また、キャップ部材３３は、図５に示すように、少なくとも下方が開放された筒状に形成され、嵌合溝３５に横棒２０の収容部２１を嵌合させたベース部材３１へと上方から被せた際に、筒状の縁部分３７が、横棒２０における収容部２１の上面に接触することにより、収容部２１をベース部材３１との間に挟んで固定するように構成されている。ここで、横棒２０の収容部２１には、図３に示すように、その上面において、横棒２０の延びる方向に沿った位置であり、キャップ部材３３における筒状の縁部分３７に対応する位置に、この縁部分３７と嵌合する上側凹部２５が形成されている。
【００２１】
上述のように、キャップ部材３３の内周には、ベース部材３１のネジ部と嵌合するネジ溝が形成されているため、このキャップ部材３３をベース部材３１に被せた状態で回転させていくことにより、筒状の縁部分３７が横棒２０における収容部２１の上面に接触し、その後、収容部２１がベース部材３１との間に挟まれた状態で固定される。
【００２２】
また、横棒２０の収容部２１には、その底面において、横棒２０の延びる方向に沿った１カ所以上（本実施形態では２カ所）に底側凹部２７が形成されているのに対し、連結部３０のベース部材３１には、図４に示すように、嵌合溝３５に横棒２０の収容部２１を嵌合させた際に横棒２０の収容部２１における底側凹部２７と嵌合する外側凸部３９が形成されている。
（２）作用，効果
このように構成されたのぼり竿１であれば、連結部３０のベース部材３１およびキャップ部材３３で、横棒２０を収容部２１の突出片２３とともに上下左右から挟んだ状態で変位不能に固定することができるため、横棒２０には支柱部１０を通して反対側まで到達するような長さは必要なく、これにより、横棒２０の突出しをなくすことができる。こうして、横棒２０の突出しが設置するうえでの制約となることもなく、景観に溶け込みやすくすることができる。
【００２３】
また、上記構成であれば、キャップ部材３３における筒状の縁部分３７が、横棒２０における収容部２１の上面に接触し、ここに形成された上側凹部２５と嵌合することにより、連結部３０による横棒２０の連結をより強固なものとすることができる。
【００２４】
また、上記構成であれば、ベース部材３１における外側凸部３９が、横棒２０における収容部２１の底面に形成された底側凹部２７と嵌合することにより、連結部３０による横棒２０の連結をより強固なものとすることができる。
（３）変形例
以上、本発明の実施の形態について説明したが、本発明は、上記実施形態に何ら限定されることはなく、本発明の技術的範囲に属する限り種々の形態をとり得ることはいうまでもない。
【００２５】
例えば、上記実施形態では、横棒２０の収容部２１に形成された底側凹部２７と、連結部３０のベース部材３１に形成された外側凸部３９とが嵌合するように構成されたものを例示したが、横棒２０の収容部２１に形成した凸状の部分と、連結部３０のベース部材３１に形成した凹状の部分とが嵌合するように構成してもよい。
【００２６】
また、横棒２０の収容部２１と連結部３０のベース部材３１との嵌合については、両者を変位不能に固定することができればよく、突出片２３および嵌合溝３５の形状については上記に限られない。
【符号の説明】
【００２７】
１…のぼり竿、１０…支柱部、１１…突起、２０…横棒、２１…収容部、２３…突出片、２５…上側凹部、２７…底側凹部、３０…連結部、３１…ベース部材、３３…キャップ部材、３５…嵌合溝、３７…縁部分、３９…外側凸部。
【図１】
2018081231.tif 000003
【図２】
2018081231.tif 000004
【図３】
2018081231.tif 000005
【図４】
2018081231.tif 000006
【図５】
2018081231.tif 000007